(57)【要約】【課題】  自動適合のためのパラメータの操作方向についてのルール作りを行う。【解決手段】  機関運転制御用パラメータの値を順次規定量だけ増大および減少させると共にこのときの出力値の改善度合を各パラメータの値の組合せについて夫々求め、次いで最も改善度合の高かったパラメータの値の組合せをパラメータ基準値としてパラメータの値を順次規定量だけ増大および減少させると共にこのときの出力値の改善度合を各パラメータの値の組合せについて夫々求める。次いでこれを繰返すことによりパラメータの操作方向についてのルールを探索する。【選択図】      図４
2006220030.tif 000002
【特許請求の範囲】
【請求項１】
予め定められている複数の機関運転制御用パラメータの値を全てのパラメータに対して順次規定量だけ増大および減少させると共にこのときの出力値の改善度合を各パラメータの値の組合せについて夫々求め、次いで最も改善度合の高かったパラメータの値の組合せをパラメータ基準値としてパラメータの値を全てのパラメータ又は一部を除外したパラメータに対して順次規定量だけ増大および減少させると共にこのときの出力値の改善度合を各パラメータの値の組合せについて夫々求め、次いでこれを繰返すことにより出力値を改善するためのパラメータの操作方向についてのルールを探索するようにした自動適合用のパラメータ操作ルール探索方法。
【請求項２】
上記パラメータは、メイン噴射時期、パイロット噴射量、パイロット噴射時期、コモンレール圧、再循環排気ガス制御弁の開度、吸気スロットル弁の開度、ターボチャージャの可変ノズルの開度の全て又はそれらのうちの一部である請求項１に記載のパラメータ操作ルール探索方法。
【請求項３】
出力値がエミッション、騒音振動、燃費の全て又はそれらのうちの一部であり、エミッションが排気ガス中のＮＯx量、スモーク濃度又はパティキュレート量、ＨＣ量、ＣＯ量の全て又はそれらのうちの一部である請求項１に記載のパラメータ操作ルール探索方法。
【請求項４】
目標値に対する実際の出力値の割合を表す評価関数の値から上記出力値の改善度合が判断され、その際該評価関数の値が低くなるほど出力値の改善度合が高くなったと判断される請求項１に記載のパラメータ操作ルール探索方法。
【請求項５】
パラメータの値を順次規定量だけ増大又は減少させたときに出力値が改善するパラメータの操作方向が存在するか否かを判断すると共に、各パラメータの操作方向について出力値が改善するパラメータの操作方向となる頻度を求め、該頻度に基づいてパラメータの操作方向についてのルールを探索するようにした請求項１に記載のパラメータ操作ルール探索方法。
【請求項６】
上記頻度をパラメータの操作方向が第１の方向となる第１の頻度と、パラメータの操作方向が第１の方向とは逆方向の第２の方向となる第２の頻度とに分けて求め、これら第１の頻度と第２の頻度とを比較することによりパラメータの操作方向についてのルールを探索するようにした請求項５に記載のパラメータ操作ルール探索方法。
【請求項７】
上記第１の頻度と第２の頻度との差が予め定められた頻度よりも大きいときには頻度が大きい方の方向をパラメータの操作方向とする請求項６に記載のパラメータ操作ルール探索方法。
【請求項８】
パラメータがメイン噴射時期であるときには第１の方向が遅角方向で第２の方向が進角方向であり、パラメータがコモンレール圧、再循環排気ガス制御弁の開度、吸気スロットル弁の開度又はターボチャージャの可変ノズルの開度であるときには第１の方向が増大方向であって第２の方向が減少方向である請求項６に記載のパラメータ操作ルール探索方法。
【請求項９】
パラメータの値を順次規定量だけ増大又は減少させるパラメータ値の増減作用と各パラメータの値の組合せにおける出力値の改善度合の評価とを繰返すことによってもパラメータの操作方向についてのルールを定めることができない場合には、ルール化できなかったパラメータについてパラメータの値を操作することによりパラメータの最適値を探索し、ルール化できなかったパラメータの最適値が探索しえたときには再びルール化できなかったパラメータ以外のパラメータの値を順次規定量だけ増大又は減少させるパラメータ値の増減作用と各パラメータの値の組合せにおける出力値の改善度合の評価とを繰返すことによりパラメータの操作方向についてのルールを探索するようにした請求項１に記載のパラメータ操作ルール探索方法。
【請求項１０】
上記パラメータの最適値の探索を線形探索手法によって行う請求項９に記載のパラメータ操作ルール探索方法。
【請求項１１】
上記線形探索手法による探索を行っても最適値が探索できないときには非線形探索手法によりパラメータの最適値の探索を行う請求項１０に記載のパラメータ操作ルール探索方法。
【請求項１２】
適合すべき複数の運転状態のうちの代表的な運転状態についてパラメータの操作方向についてのルールを求め、ルールの求められた代表的な運転状態以外の運転状態におけるルールは代表的な運転状態におけるルールから求められる請求項１に記載のパラメータ操作ルール探索方法。
【請求項１３】
請求項１に記載したパラメータ操作ルール探索方法により得られたルールを用いてパラメータの値を自動適合する自動適合方法。
【請求項１４】
複数の出力値に対して夫々適合目標値が定められており、適合目標値に対する出力値の割合を表す評価関数の値が各出力値について求められ、評価関数の値と出力値悪化の適合度との関係を示すファジィ推論の前件部関数が予め設定されており、該適合度と各パラメータの値の適合修正量との関係を示すファジィ推論の後件部関数が上記ルールに基づいて設定され、該後件部関数から出力値が適合目標値を満たすパラメータの値が探索される請求項１３に記載の自動適合方法。
【発明の詳細な説明】
【技術分野】
【０００１】
本発明は自動適合用のパラメータ操作ルール探索方法および自動適合方法に関する。
【背景技術】
【０００２】
従来より新しい内燃機関を開発するときには最適な機関の出力値を得ることのできる機関運転制御用パラメータの値を探索する作業、即ち適合作業が行われる。この適合作業では、燃料噴射時期やコモンレール圧のようなパラメータの各値を経験に基づいて少しずつ変化させることにより長い時間をかけて最適な機関の出力値、例えば最適な排気エミッション量を得ることのできるパラメータの適合値が探索される。これは新しい車両を開発するときについても同様である。
【０００３】
しかしながらこのように経験に基づいてパラメータの適合値を探索するといってもパラメータの数が多くなると最適な各パラメータの適合値を見い出すことが困難となり、しかもパラメータの適合値を見い出すためには長い時間を要するために開発に時間を要するばかりでなく、多大の労力を必要とするという問題がある。
【０００４】
そこでパラメータの適合作業を自動的に行うようにした自動適合装置が既に提案されている（特許文献１参照）。この自動適合装置では、出力値を適合目標値とするためのパラメータの操作順序と操作方向とが各出力値に対して夫々予め定められており、この操作順序および操作方向に従いパラメータを一つずつ順次操作してパラメータの適合値が一つずつ順次決定される。
【特許文献１】特開２００４−１２４９３５号公報
【発明の開示】
【発明が解決しようとする課題】
【０００５】
しかしながらこのようにパラメータを一つずつ順次操作してパラメータの適合値を探索するようにした場合には全てのパラメータの適合値の探索が完了するまで長い時間を要するという問題がある。これに対し、例えば各パラメータの操作方向を経験に基づき予め設定しておくと、即ち各パラメータの操作方向を予めルール化しておくと各パラメータを種々の方向に操作する必要がないのでパラメータの適合値の探索時間を短かくすることができる。しかしながらこのようにパラメータの操作方向を予めルール化しておくといくつかのパラメータについて実際に操作すべき方向がルール化されている操作方向と異なる方向となる場合があり、この場合にはパラメータの適合値を探索することができないという問題を生ずる。
【課題を解決するための手段】
【０００６】
上記問題点を解決するために本発明によれば、予め定められている複数の機関運転制御用パラメータの値を全てのパラメータに対して順次規定量だけ増大および減少させると共にこのときの出力値の改善度合を各パラメータの値の組合せについて夫々求め、次いで最も改善度合の高かったパラメータの値の組合せをパラメータ基準値としてパラメータの値を全てのパラメータ又は一部を除外したパラメータに対して順次規定量だけ増大および減少させると共にこのときの出力値の改善度合を各パラメータの値の組合せについて夫々求め、次いでこれを繰返すことにより出力値を改善するためのパラメータの操作方向についてのルールを探索するようにしている。
【発明の効果】
【０００７】
パラメータの適合値を求めるのに必要なパラメータの操作方向についてのルールを定めることができる。
【発明を実施するための最良の形態】
【０００８】
図１は圧縮着火式内燃機関の運転制御用パラメータを自動適合するための自動適合装置全体を示している。なお、この場合、内燃機関は火花点火式内燃機関であってもよい。
【０００９】
図１を参照すると、１は機関本体、２は各気筒３の燃焼室内に向けて燃料を噴射するための電気制御式燃料噴射弁、４は吸気マニホルド、５は排気マニホルド、６は排気ターボチャージャを夫々示す。吸気マニホルド４は排気ターボチャージャ６の吸気コンプレッサ６ａの出口部に連結され、吸気コンプレッサ６ａの入口部は吸気ダクト７を介してエアクリーナ８に連結される。吸気ダクト７内にはステップモータのようなアクチュエータ９により駆動される吸気スロットル弁１０が配置される。
【００１０】
一方、排気マニホルド５は排気ターボチャージャ６の排気タービン６ｂの入口部に連結され、排気タービン６ｂの出口部は排気管１２に連結される。吸気マニホルド４と排気マニホルド５とは排気ガス再循環（以下、ＥＧＲと称す）通路１３を介して互いに連結され、ＥＧＲ通路１３内にはステップモータのようなアクチュエータ１４により駆動されるＥＧＲ制御弁１５が配置されている。
【００１１】
一方、燃料噴射弁２は燃料供給管１６を介してコモンレール１７に連結される。このコモンレール１７内へは電気制御式の吐出量可変な燃料ポンプ１８から燃料が供給され、コモンレール１７内に供給された燃料は各燃料供給管１６を介して燃料噴射弁２に供給される。コモンレール１７にはコモンレール１７内の燃料圧を検出するための燃料圧センサ１９が取付けられ、燃料圧センサ１９の出力信号に基づいてコモンレール１７内の燃料圧が目標燃料圧となるように燃料ポンプ１８の吐出量が制御される。
【００１２】
内燃機関の運転を制御するための電子制御装置２０はデジタルコンピュータからなり、双方向性バス２１によって互いに接続されたＲＯＭ（リードオンリメモリ）２２、ＲＡＭ（ランダムアクセスメモリ）２３、ＣＰＵ（マイクロプロセッサ）２４、および入出力ポート２５を具備する。入出力ポート２５には燃料圧センサ１９等の種々のセンサの出力信号が夫々対応するＡＤ変換器２６を介して入力される。また、アクセルペダル２８にはアクセルペダル２８の踏込み量に比例した出力電圧を発生する負荷センサ２９が接続され、この負荷センサ２９の出力信号が対応するＡＤ変換器２６を介して入出力ポート２５に入力される。クランク角センサ３０は例えば機関が１５°クランク角回転する毎に出力パルスを発生し、この出力パルスが入出力ポート２５に入力される。
【００１３】
一方、入出力ポート２５は対応する駆動回路２７を介して燃料噴射弁２、吸気スロットル弁用アクチュエータ９、ＥＧＲ制御弁用アクチュエータ１４および燃料ポンプ１８に接続される。また、排気タービン６ｂのディフェーザ部にはアクチュエータ３１によって駆動される多数のベーンノズル３２からなる可変ノズル機構が配置されており、入出力ポート２５は対応する駆動回路２７を介してアクチュエータ３１に接続される。
【００１４】
図１に示されるように適合作業を行うための電子制御ユニット４０が設けられており、内燃機関の出力軸は動力計４１に連結されている。この動力計４１は電子制御ユニット４０に接続されており、電子制御ユニット４０によって制御される。また、排気ガス中のＮＯx量、スモーク濃度、パティキュレート量、ＨＣ量、ＣＯ量等の排気成分の分析計４２と、内燃機関が発生する騒音振動を検出する騒音振動計４３とが設けられており、これら排気成分分析計４２および騒音振動計４３の出力信号は電子制御ユニット４０に入力される。また、電子制御ユニット４０と電子制御ユニット２０の入出力ポート２５とは双方向性バス４４を介して互いに接続されている。
【００１５】
本発明による自動適合方法では、複数の出力値に対して夫々適合目標値が定められており、各出力値が夫々対応する適合目標値を満たすように機関制御用パラメータが操作される。
【００１６】
ここで、本発明による実施例では複数の出力値としてエミッションおよび騒音振動又はそれらのうちの一部が採用されており、また、エミッションとしては排気ガス中のＮＯx量、スモーク濃度又はパティキュレート量、ＨＣ量、ＣＯ量の全て又はそれらのうちの一部が採用されている。
【００１７】
なお、各適合運転状態はマップ上の点として定められており、本発明による実施例では各適合運転状態は図２において黒丸で示されるように機関負荷Ｌと機関回転数Ｎの関数である。即ち、図２において黒丸で示される各適合運転状態に対して夫々各出力値の適合目標値が定められている。
【００１８】
一方、本発明による実施例では適合すべき機関制御用パラメータは、メイン噴射時期、パイロット噴射量、パイロット噴射時期、コモンレール圧、吸気スロットル弁の開度、ＥＧＲ制御弁の開度、ターボチャージャの可変ノズルの開度、即ち過給圧の全て又はそれらのうちの一部である。これらの機関制御用パラメータは前述したように各出力値が夫々対応する適合目標値を満たすように操作される。
【００１９】
さて、本発明ではパラメータの適合を行うためにパラメータを操作すべき方向については予め定められておらず、従ってパラメータを操作すべき方向についてのルールを作ることから開始される。図３は、ＮＯx、スモーク、ＨＣ、騒音振動を出力値とし、これら出力値が悪化したときに操作すべき機関運転制御用パラメータがメイン噴射時期、コモンレール圧、吸気スロットル弁、ＥＧＲ制御弁、過給圧、即ちターボチャージャの可変ノズルの開度とされた場合を示している。
【００２０】
図３に示されるように本発明ではＮＯxが悪化した場合にメイン噴射時期をプラス（遅角）にするかマイナス（進角）にするか、コモンレール圧をプラス（増大）にするかマイナス（減少）にするか、吸気スロットルの開度をプラス（増大）にするかマイナス（減少）にするか、ＥＧＲ制御弁の開度をプラス（増大）にするかマイナス（減少）にするか、過給圧をプラス（増大）にするかマイナス（減少）にするかについては予め定められていない。このことは他の出力値、即ち、スモーク、ＨＣ、騒音振動についても同様である。
【００２１】
次に本発明によるパラメータ操作方向のルール作りについて説明する。本発明によればこのルール作りは予め定められた代表的な運転状態において行われ、各運転状態ではまず初めに各パラメータについて初期値が決定される。この初期値は同様な形式のエンジンについて既に求められている最適値を参考にして決定される。次いで各パラメータの値が初期値を基準として全てのパラメータに対して順次規定量だけ増大および減少される。この場合、この規定量は各パラメータについて経験に基づき決定されている。なお、パラメータの値がメイン噴射時期である場合には、遅角するときにはパラメータの値を増大すると称し、進角するときにはパラメータの値を減少すると称する。
【００２２】
図４から図１５は、ＮＯxが改善されるようにパラメータの値を順次規定量だけ増大および減少させるようにした場合の具体例を示している。なお、この具体例では順次増大および減少される規定量はメイン噴射時期についてはａとされており、コモンレール圧についてはｂとされており、吸気スロットル弁の開度についてはｃとされており、ＥＧＲ制御弁の開度についてはｄとされており、過給圧についてはｅとされている。
【００２３】
図４はパラメータを１〜１０の操作順序に従って操作したときの各パラメータの値を示している。即ち、操作順序１ではメイン噴射時期が初期値に対して規定量ａだけ増大せしめられ、他のパラメータ、即ちコモンレール圧、吸気スロットル弁の開度、ＥＧＲ制御弁の開度、および過給圧については初期値のままとされる。次いで操作順序２ではメイン噴射時期が初期値に対して規定量ａだけ減少せしめられ、他のパラメータは初期値のままとされる。一方、操作順序３ではコモンレール圧が初期値に対して規定量ｂだけ増大せしめられ、他のパラメータは初期値のままとされる。次いで操作順序４ではコモンレール圧が初期値に対して規定量ｂだけ減少せしめられ、他のパラメータは初期値のままとされる。
【００２４】
次いで操作順序５では吸気スロットル弁の開度が初期値に対して規定量ｃだけ増大せしめられ、他のパラメータは初期値のままとされる。次いで操作順序６では吸気スロットル弁の開度が初期値に対して規定量ｃだけ減少せしめられ、他のパラメータは初期値のままとされる。次いで操作順序７ではＥＧＲ制御弁の開度が初期値に対して規定量ｄだけ増大せしめられ、他のパラメータは初期値のままとされる。次いで操作順序８ではＥＧＲ制御弁の開度が初期値に対して規定量ｄだけ減少せしめられ、他のパラメータは初期値のままとされる。
【００２５】
次いで操作順序９では過給圧が初期値に対して規定量ｅだけ増大せしめられ、他のパラメータは初期値のままとされる。操作順序１０では過給圧が初期値に対して規定量ｅだけ減少せしめられ、他のパラメータは初期値のままとされる。このように操作順序に従って各パラメータの値が順次規定量だけ増大および減少せしめられる。
【００２６】
一方、このように操作順序に従って各パラメータの値を増大又は減少させたときに出力値、即ち図４から図１５に示す例ではＮＯx量が検出され、操作順序１から１０に示される各パラメータの値の組合せについて夫々出力値の改善度合、図４から図１５に示す例ではＮＯx量の改善度合が求められる。本発明による実施例では出力値の改善度合が評価関数を用いて判断されており、この評価関数として各出力値の目標値に対する実際の出力値の割合、即ち出力値／目標値が用いられている。即ち、ＮＯxについてはＮＯx量／ＮＯx量の目標値が評価関数とされ、スモークについてはスモーク濃度／スモーク濃度の目標値が評価関数とされ、ＨＣについてはＨＣ量／ＨＣの目標値が評価関数とされ、騒音振動については騒音振動の大きさ／騒音振動の目標値が評価関数とされる。
【００２７】
この評価関数の値は出力値が目標値を満たしているときには１．０よりも小さいか１．０に等しく、出力値が目標値を超過すると、即ち出力値が悪化すると評価関数の値は１．０よりも大きくなる。図５（Ａ）は図４の操作順序に従ってパラメータの値を増大又は減少させたときのＮＯx量についての評価関数の値の一例を示している。なお、図５（Ａ）の横軸における＋は対応するパラメータの値が規定量だけ増大されたときを示しており、−は対応するパラメータの値が規定量だけ減少されたときを示している。即ち、例えば図５（Ａ）の横軸においてメイン噴射時期が＋は図４においてメイン噴射時期を規定量ａだけ増大（遅角）した場合を示しており、図５の横軸においてメイン噴射時期が−は図４においてメイン噴射時期を規定量ａだけ減少（進角）した場合を示している。これは他の同様の図についても同じである。
【００２８】
本発明による実施例では図５（Ａ）において評価関数の値が初期値に対し一定値ΔＸ以上低下したときに出力値、図５に示す例ではＮＯx量が改善したと判断される。図５（Ａ）において評価関数の値が初期値に対し一定値ΔＸ以上低下するのはメイン噴射時期をプラスにしたとき、即ち増大したときと、コモンレール圧をマイナスにしたとき、即ち減少したときと、ＥＧＲ制御弁の開度をプラスにしたとき、即ち増大したときであり、これらのときにＮＯxが改善したと判断される。
【００２９】
このように本発明による実施例ではパラメータの値を順次規定量だけ増大又は減少させたときに出力値が改善するパラメータの操作方向が存在するか否かが判断され、次いで、各パラメータの操作方向について出力値が改善するパラメータの操作方向となる頻度が求められる。例えばメイン噴射時期については、ＮＯx量が改善するパラメータの操作方向はプラス方向であるので図５（Ｂ）に示されるようにメイン噴射時期のプラス側の操作頻度が１とされ、コモンレール圧についてはＮＯx量が改善するパラメータの操作方向はマイナス方向であるので図５（Ｂ）に示されるようにコモンレール圧のマイナス側の操作頻度が１とされ、ＥＧＲ制御弁の開度についてはＮＯx量が改善するパラメータの操作方向はプラス方向であるので図５（Ｂ）に示されるようにＥＧＲ制御弁の開度のプラス側の操作頻度が１とされる。
【００３０】
このようにして第１回目の評価が完了すると、次いで最も改善度合の高かったパラメータの値の組合せをパラメータ基準値としてパラメータの値を全てのパラメータ又は一部を除外したパラメータに対して順次規定量だけ増大および減少させると共にこのときの出力値の改善度合を各パラメータの値の組合せについて夫々求める第２回目の評価が実行される。
【００３１】
即ち、図５（Ａ）に示す例ではメイン噴射時期をプラスにしたときの改善度合が最も高く、従って第２回目の評価については図６に示されるようにメイン噴射時期をプラスにしたとき、即ちメイン噴射時期を規定量ａだけ増大したときのパラメータの値の組合せをパラメータ基準値として各パラメータの値が順次規定量だけ増大および減少せしめられる。
【００３２】
即ち、図６の操作順序１ではメイン噴射時期が基準値ａに対して規定量ａだけ増大せしめられるのでメイン噴射時期は初期値に対して＋２ａとなり、他のパラメータは初期値のままとされる。次いで操作順序１′ではメイン噴射時期が基準値ａに対して規定量ａだけ減少せしめられるのでメイン噴射時期は初期値となり、他のパラメータも初期値とされる。
【００３３】
即ち、操作順序１′では全てのパラメータの値が初期値となり、従ってこのパラメータの値の組合せについての評価は省略される。なお、図８、図１０および図１２に示されるように各パラメータの組合せについて評価を行うと既に評価を完了しているパラメータの組合せが登場する。これらパラメータの組合せは図８、図１０および図１２において×印を付してあるようにパラメータの評価が省略される。
【００３４】
一方、図６において操作順序２ではコモンレール圧が基準値に対して規定量ｂだけ増大せしめられる。一方、このときメイン噴射時期は基準値ａとされており、他のパラメータは初期値のままとされる。次いで操作順序３ではコモンレール圧が基準値に対して規定量ｂだけ減少せしめられる。このときもメイン噴射時期は基準値ａとされており、他のパラメータは初期値のままとされる。なお、これ以後の操作順序４から９におけるパラメータの値の組合せは特に説明を要しないと考えられるので説明を省略する。
【００３５】
第２回目の評価の結果が図７（Ａ）および（Ｂ）に示されている。なお、図７（Ａ）において破線は以前に求められている評価関数の値を示している。図７（Ａ）における基準値は図５においてメイン噴射時期がプラスのときの評価関数の値であり、図７（Ａ）においては評価関数の値がこの基準値に対し一定値ΔＸ以下のときにＮＯx量が改善されたと判断される。また、この場合も図７（Ｂ）に示されるようにＮＯx量が改善するパラメータの操作方向の操作頻度が更新される。
【００３６】
このようにして第２回目の評価が完了すると、最も改善度合の高かったパラメータの値の組合せをパラメータ基準値として図８に示されるようにパラメータの値を全てのパラメータ又は一部を除外したパラメータに対して順次規定量だけ増大および減少させると共に、図９（Ａ）に示されるようにこのときの出力値の改善度合を各パラメータの値の組合せについて夫々求める第３回目の評価が実行される。次いで図１０および図１１（Ａ）に基づいて第４回目の評価が行われ、図１２および図１３（Ａ）に基づいて第５回目の評価が行われる。
【００３７】
即ち、図７（Ａ）に示される第２回目の評価ではコモンレール圧がマイナスのときにＮＯx量の改善度合が最も高くなるので図８に示されるようにコモンレール圧が初期値に対して−ｂのときのパラメータの組合せが規準とされ、第３回目の評価が行われる。従ってこのときには図８に示されるように操作順序が１のときにはメイン噴射時期は初期値に対して＋２ａとされ、コモンレール圧は初期値に対して−ｂとされ、他のパラメータは初期値のままとされる。
【００３８】
図９（Ａ）に示される第３回目の評価ではＥＧＲ制御弁の開度がプラスのときにＮＯx量の改善度合が最も高くなるので図１０に示されるように過給圧が初期値に対して＋ｄのときのパラメータの組合せが規準とされ、第４回目の評価が行われる。従ってこのときには図１０に示されるように操作順序が１のときにはメイン噴射時期は初期値に対して＋２ａとされ、コモンレール圧は初期値に対して−ｂとされ、ＥＧＲ制御弁の開度が初期値に対して＋ｄとされ、他のパラメータは初期値のままとされる。
【００３９】
図１１（Ａ）に示される第４回目の評価ではメイン噴射時期がプラスのときにＮＯx量の改善度合が最も高くなるので図１２に示されるようメイン噴射時期が初期値に対して＋２ａのときのパラメータの組合せが規準とされ、第５回目の評価が行われる。従ってこのときには図１２に示されるように操作順序が１のときにはメイン噴射時期は初期値に対して＋３ａとされ、コモンレール圧は初期値に対して−ｂとされ、ＥＧＲ制御弁の開度が初期値に対して＋ｄとされ他のパラメータは初期値のままとされる。
【００４０】
図１３（Ａ）に示される第５回目の評価ではコモンレール圧がプラスのときにＮＯx量の改善度合が最も高くなる。図５（Ａ）、図７（Ａ）、図９（Ａ）、図１１（Ａ）および図１３（Ａ）からわかるように評価が進むと評価関数の値は次第に小さくなり、図５（Ｂ）、図７（Ｂ）、図９（Ｂ）、図１１（Ｂ）および図１３（Ｂ）に示されるように各パラメータの操作頻度は次第に増大する。
【００４１】
図１４（Ａ）は更に評価が進んでいずれかのパラメータの値を増大又は減少したときに、図１４（Ａ）に示す例ではコモンレール圧を減少させたときに評価関数の値が１．０以下になったときを示している。このように評価関数の値が１．０以下になるとパラメータの操作方向についてのルールが探索しえたと判断され、ルールの探索作業が停止される。図１４（Ｂ）はこのときのパラメータの操作頻度を示しており、この操作頻度からパラメータの操作方向についてのルールが作成される。
【００４２】
即ち、図１４（Ｂ）においてメイン噴射時期に注目すると、メイン噴射時期がプラス側に操作された頻度はメイン噴射時期がマイナス側に操作された頻度に比べてかなり大きい。このことはＮＯx量を改善するにはメイン噴射時期をプラス側に操作すべきことを示している。コモンレール圧についてはプラス側に操作された頻度に比べてマイナス側に操作された頻度が大きく、従ってＮＯx量を改善するにはコモンレール圧はマイナス側に操作する必要がある。
【００４３】
一方、吸気スロットル弁の開度についてはプラス側に操作された頻度に比べてマイナス側に操作された頻度が大きく、従ってＮＯx量を改善するには吸気スロットル弁の開度はマイナス側に操作する必要がある。また、ＥＧＲ制御弁の開度についてはプラス側に操作された頻度に比べてマイナス側に操作された頻度が小さく、従ってＮＯx量を改善するにはＥＧＲ制御弁の開度はプラス側に操作する必要がある。また、過給圧についてはプラス側に操作された頻度に比べてマイナス側に操作された頻度が大きく、従ってＮＯx量を改善するには過給圧はマイナス側に操作する必要がある。
【００４４】
図１４（Ｂ）から判断された各パラメータを操作すべき方向が図１５に示されている。このようにしてＮＯx量を改善するために各パラメータを操作すべき方向が決定される。
【００４５】
なお、図１４（Ｂ）について一般的な表現をすると、本発明による実施例ではパラメータの操作頻度をパラメータの操作方向が第１の方向となる第１の頻度と、パラメータの操作方向が第１の方向とは逆方向の第２の方向となる第２頻度とに分けて求め、これら第１の頻度と第２の頻度を比較し、第１の頻度と第２の頻度との差が予め定められた頻度よりも大きいときには頻度が大きい方の方向をパラメータの操作方向とするようにしている。なお、この場合パラメータがメイン噴射時期であるときには第１の方向が遅角方向で第２の方向が進角方向であり、パラメータがコモンレール圧、再循環排気ガス制御弁の開度、吸気スロットル弁の開度又はターボチャージャの可変ノズルの開度であるときには第１の方向が増大方向であって第２の方向が減少方向である。
【００４６】
このようにしてＮＯx量を改善するための各パラメータの操作方法についてのルールが決定されるが、他の出力値、即ちスモーク濃度、ＨＣ量、騒音振動についても夫々スモーク濃度、ＨＣ量、騒音振動を改善するための各パラメータの操作方向についてのルールが決定される。なお、前述したようにこのルール作りは予め定められた代表的な運転状態において行われる。具体的に言うと、この代表的な運転状態は図２において黒丸で示される適合運転状態のうちから選択された代表的な運転状態であり、これら代表的な運転状態以外の運転状態におけるルールは代表的な運転状態におけるルールから求められる。
【００４７】
さて、上述したようにパラメータの値を順次規定量だけ増大又は減少させるパラメータ値の増減作用と各パラメータの値の組合せにおける出力値の改善度合の評価とを繰返すと多くの場合、パラメータの操作方向についてのルールを定めることができる。しかしながらこのようなパラメータ値の増減作用と改善度合の評価とを繰返しても評価関数の値が１．０以下にならなかったり、或いはプラス側操作頻度とマイナス側操作頻度間に差がないためにパラメータの操作方向を決定しえなかったりして、全てのパラメータの操作方向についてのルールを定められない場合もある。
【００４８】
このような場合、本発明による実施例では、ルール化できなかったパラメータについてパラメータの値を操作することによりパラメータの最適値を探索し、ルール化できなかったパラメータの最適値が探索しえたときには再びルール化できなかったパラメータ以外のパラメータの値を順次規定量だけ増大又は減少させるパラメータ値の増減作用と各パラメータの値の組合せにおける出力値の改善度合の評価とを繰返すことにより再度パラメータの操作方向についてのルールを探索するようにしている。以下、ルール化できなかったパラメータがパイロット噴射量およびパイロット噴射時期であった場合を例にとってパラメータの最適値探索方法について説明する。
【００４９】
パラメータの最適値を探索する方法は種々の方法があり、代表的な方法としては線形探索手法がよく知られている。この線形探索手法では例えばパイロット噴射量およびパイロット噴射時期の異なる３つの運転状態における評価関数の値から評価関数の値が低くなる方向にパイロット噴射量およびパイロット噴射時期を増大又は減少させ、これを繰返すことによってパイロット噴射量およびパイロット噴射時期の最適値が求められる。また、パイロット噴射量およびパイロット噴射時期の操作順序および操作方向を予め定めておいてこの予め定められている操作順序および操作方向に従ってパイロット噴射量およびパイロット噴射時期を増大又は減少させることによりパイロット噴射量およびパイロット噴射時期の最適値を求めることができる。
【００５０】
例えばＮＯx量および騒音振動に対してはパラメータの操作方向についてルール化しえたとすると図１６に示されるようにＮＯxおよび騒音振動についてはパイロット噴射量およびパイロット噴射時期はルール化されたときの値、即ち初期値のままとされる。これに対し、スモーク濃度およびＨＣ量に対してはパラメータの操作方向についてルール化しえなかったとすると例えば線形探索手法を用いて図１６に示されるようにスモークおよびＨＣに対しパイロット噴射量の最適値ＰＩｓおよびＰＩｈが求められ、パイロット噴射間隔の最適値ＰθｓおよびＰθｈが求められる。次いでこれらの最適値を用いてスモーク濃度およびＨＣ量を改善するためのパラメータの操作方向の探索作用が再び行われる。
【００５１】
なお、線形探索手法による探索を行っても最適値が探索できないときには非線形探索手法によりパラメータの最適値の探索を行うこともできる。即ち、線形探索手法による探索を行った場合、最適値が探索できないのは最適値が存在しない場合と、図１７（Ａ）に示されるように最適値、即ち真の解が存在するにもかかわらず局所解に陥ってしまう場合とがある。即ち、線形探索手法を用いて図１７（Ａ）の矢印で示すようにパラメータの値が評価関数の値の低くなる方向に変化せしめられたときパラメータの値が局所解に達すると探索作業が完了してしまい、斯くして最適値が得られなくなる。
【００５２】
後者の場合、即ちパラメータの値が局所解となったときには非線形探索を行うことにより最適値を探索しうる場合があり、従って上述したように非線形探索手法により最適値の探索を行うようにしてもよい。図１７（Ｂ）は代表的な非線形探索手法であるコンプレックス法を示している。即ち、このコンプレックス法ではパイロット噴射量とパイロット噴射間隔について出力値が悪化する状態Ａと、出力値が最良となる状態Ｂと、出力値が良好となる状態Ｃの重心Ｇが求められ、この重心Ｇに関して状態Ａと反対側の状態Ｄが次に評価すべき状態とされる。
【００５３】
次に図１８を参照しつつパラメータの操作方向についてのルールの探索ルーチンについいて説明する。
図１８を参照するとまず初めにステップ１００において予め定められた出力値に対するルールを探索すべき機関の運転状態における各パラメータの初期値が読込まれる。次いでステップ１０１では全てのパラメータ又は一部を除外したパラメータに対してパラメータの値が順次図４に示されるような規定量だけ増大および減少せしめられる。次いでステップ１０２では図５に示されるように各パラメータの組合せについて評価関数の値が算出される。
【００５４】
次いでステップ１０３では評価関数の値の最も低いパラメータの組合せにおける各パラメータの値が次に評価を行うときのパラメータの基準値とされる。次いでステップ１０４では図５（Ｂ）に示されるように操作頻度が更新される。次いでステップ１０５では評価関数の値が１．０以下になったか否か、即ち、パラメータの値の探索が終了したか否かが判別される。探索が終了していないときにはステップ１０１に戻ってパラメータの値が順次図６に示されるような規定量だけ増大および減少せしめられる。
【００５５】
図１４（Ａ）に示されるように評価関数の値が１．０以下になるとステップ１０６に進んで図１４（Ｂ）に示されるプラス側の操作頻度とマイナス側の操作頻度が比較される。次いでステップ１０７では各パラメータについてプラス側頻度とマイナス側頻度との差が大きいか否か、即ち優位差があるか否かが判別される。優位差があるときにはパラメータの操作ルールの学習が完了したと判断され、ステップ１０８に進んで図１５に示すような操作ルールが決定される。これに対し、優先差がないときにはパラメータの操作ルールの学習が完了していない、即ちルール化できなかったと判断され、ステップ１１０に進んで非ルール探索が実行される。なお、パラメータの増大減少操作を規定回数以上繰返しても評価関数の値が１．０以下にならなかったときにもステップ１０５において探索が完了したと判断され、ステップ１１０に進んで非ルール探索が実行される。
【００５６】
この非ルール探索は前述した線形探索手法による探索と非線形探索手法による探索からなり、基本的には線形探索手法による探索によりステップ１１１においてルール化できなかったパラメータの最適値が求められる。ルール化できなかったパラメータの最適値が求まるとステップ１０１に戻って再びパラメータの操作方向の探索が開始される。操作ルールが決定されるとステップ１０９に進んで全ての出力値に対し全ての代表的な運転状態について全てのパラメータ操作方向についてのルールが決定されたか否かが判別され、全てのルールが決定されていないときにはステップ１００に戻って全てのルールが決定されるまでルールの探索が行われる。
【００５７】
図１９に全ての出力値に対して全てのパラメータの探索が完了したときのパラメータの操作方向についてルールの一例を示している。このルールによると例えばＮＯx量については、メイン噴射時期を遅角し、コモンレール圧を減少させ、吸気スロットル弁の開度を減少させ、ＥＧＲ制御弁の開度を増大させ、可変ノズルを閉じる方向に駆動して過給圧を減少させればＮＯx量を改善しうることがわかる。また、スモーク濃度についてはコモンレール圧を増大させ、吸気スロットル弁の開度を増大させ、ＥＧＲ制御弁の開度を減少させればスモーク濃度を改善しうることがわかる。
【００５８】
次に図１９に示されるルールを用いて行われる自動適合方法について説明する。本発明による実施例では、複数の出力値に対して夫々適合目標値が定められており、各出力値が夫々対応する適合目標値を満たすようにファジィ推論を用いて複数の機関制御用パラメータが同時に操作され、それによって各パラメータの適合値が探索される。
なお、適合目標値についてみると、本発明による実施例ではこれら出力値のうちＮＯx量、パティキュレート量、ＨＣ量、ＣＯ量の適合目標値はエミッションを評価するための走行モードで走行したときの積算値である総量目標値とされており、残りの出力値、即ち騒音振動、スモーク濃度の適合目標値は各適合運転状態における目標値とされている。また、総量目標値が定められているＮＯx量、パティキュレート量、ＨＣ量、ＣＯ量についても各適合運転状態における適合目標値が合わせて設定されている。
【００５９】
まず初めに、図１９に示されるルールのファジィ化について説明する。図１９に示されるルールは「…した場合には…される」という構成になっており、この構成において「…した場合には」に当る前半は前件部と称され、「…される」に当る後半は後件部と称される。ファジィ推論においてはこれら前件部および後件部が夫々関数化され、前件部を関数化したものを前件部関数又はメンバーシップ関数と称しており、後件部を関数化したものを後件部関数と称している。
【００６０】
図２０は本発明の実施例において用いられている前件部関数を示している。前件部関数の横軸は評価関数の値であり、まず初めにこの評価関数の値について説明する。本発明による実施例ではこの評価関数として各出力値の適合目標値に対する出力値の割合、即ち出力値／適合目標値が用いられており、ＮＯxについてはＮＯx量／ＮＯx量の適合目標値が評価関数とされ、スモークについてはスモーク濃度／スモーク濃度の適合目標値が評価関数とされ、ＨＣについてはＨＣ量／ＨＣの適合目標値が評価関数とされ、騒音振動については騒音振動の大きさ／騒音振動の適合目標値が評価関数とされる。図２０の横軸はこれら出力値についての評価関数の値である。
【００６１】
評価関数の値は出力値が適合目標値を満たしているときには１．０よりも小さいか１．０に等しく、出力値が適合目標値を超過すると、即ち出力値が悪化すると評価関数の値は１．０よりも大きくなる。
【００６２】
一方、図２０に示されるように前件部関数の縦軸は出力値悪化の適合度を表しており、図２０からわかるように評価関数の値がＨ（＞１．０）のときに出力値悪化の適合度は１．０となる。即ち、評価関数の値がＨになったときがいわゆる出力値が悪化したときであるとすると、いわゆる出力値が悪化したときを出力値悪化の適合度が１．０であるとしている。前述したように評価関数の値が１．０を越えると出力値が悪化しはじめ、評価関数の値が大きくなるにつれて出力値の悪化が適合度１．０に向けて進行する。それが図２０の縦軸を出力値悪化の適合度を称するゆえんである。一方、評価関数の値が１．０のときには出力値は悪化しておらず、従ってこのときには出力値悪化の適合度は零となる。従って前件部関数は評価関数の値が１．０からＨまで増大すると出力値悪化の適合度が零から１．０まで変化するように設定されている。なお、以下出力値悪化の適合度を単に適合度と称する。
【００６３】
図２１は本発明の実施例において用いられている後件部関数の代表例を示している。後件部関数の横軸は図２０に示される前件部関数の縦軸と同じ適合度であり、後件部関数の縦軸は各パラメータに対する適合修正量である。この適合修正量は、横軸より上側はコモンレール圧、吸気スロットル弁開度、ＥＧＲ制御弁開度、過給圧であれば増大側を、メイン噴射時期であれば遅角側を夫々示しており、横軸より下側はコモンレール圧、吸気スロットル弁開度、ＥＧＲ制御弁開度、過給圧であれば減少側を、メイン噴射時期であれば進角側を夫々示している。
【００６４】
ところで図２１は後件部関数の代表例としてＮＯx量に対する後件部関数を示しており、このＮＯx量に対する後件部関数は図１９に示されるＮＯx量に対するルールを関数化したものである。この適合ルールによると、ＮＯx量が悪化した場合にはメイン噴射時期が遅角され、コモンレール圧が減圧され、吸気スロットル弁が閉じる方向に駆動され、ＥＧＲ制御弁が開らく方向に駆動され、可変ノズルが閉じる方向に駆動されて過給圧が減圧される。
【００６５】
ここでＮＯx量が悪化した場合とは、ＮＯx量に対する評価関数の値が１．０を越えたとき、即ち適合度が零よりも大きくなったときである。従って図２１において実線Ａ，Ｂ，Ｃ，Ｄ，Ｅで示されるように後件部関数は適合度が零から１．０の範囲内において図１９に示されるルールに従った適合修正量が得られるように設定されている。なお、図２１において実線Ａはメイン噴射時期についての後件部関数を示しており、実線Ｂはコモンレール圧についての後件部関数を示しており、実線Ｃは吸気スロットル弁開度についての後件部関数を示しており、実線ＤはＥＧＲ制御弁開度についての後件部関数を示しており、実線Ｅは過給圧についての後件部関数を示している。
【００６６】
図２１からわかるように各後件部関数Ａ，Ｂ，Ｃ，Ｄ，Ｅは零を原点として延びる直線からなり、従って各適合修正量は適合度が高くなるほど増大する。図２１には、図２０に示されるように評価関数の値がｋであり、適合度がμであるときの各パラメータの適合修正値、即ちメイン噴射時期の適合修正値ΔＱＩ、コモンレール圧の適合修正値ΔＰＣ、吸気スロットル弁開度の適合修正量ΔＴＡ、ＥＧＲ制御弁の適合修正量ΔＥθ、過給圧の適合修正量ΔＰＳが示されている。なお、適合修正量ΔＰＳは実際には排気タービンの可変ノズルの開度に対する適合修正量であるがΔＰＳは過給圧の適合修正量で表した方がわかりやすいので以下、ΔＰＳを過給圧の適合修正量で表すこととする。
【００６７】
また、本発明による実施例では適合度が１．０のときの適合修正量を修正定数と称しており、この修正定数が図２１においてａ，ｂ，ｃ，ｄ，ｅで示されている。この修正定数ａ，ｂ，ｃ，ｄ，ｅは図４、図６、図８、図１０、図１２に記載されている規定量ａ，ｂ，ｃ，ｄ，ｅと夫々同じ値とされている。
【００６８】
後件部関数は各出力値に対して夫々別個に設定されており、ＮＯxの適合度に対する各パラメータの後件部関数およびスモークの適合度に対する各パラメータの後件部関数が図２２に示されており、ＨＣの適合度に対する各パラメータの後件部関数および騒音振動の適合度に対する各パラメータの後件部関数が図２３に夫々示されている。なお、図２２に示されるＮＯxの適合度に対する後件部関数は図２１に示される各後件部関数をパラメータ毎に分けて表しただけであって図２１に示される後件部関数と同一であり、従って図２２に示される後件部関数には図２１において対応する後件部関数と同じ符号Ａ，Ｂ，Ｃ，Ｄ，Ｅが付されている。図２２および図２３に示される他の後件部関数は夫々図１９に示されるスモーク、ＨＣ、騒音振動に対する適合ルールを関数化したものであり、特に説明を要しないと思われる。
【００６９】
次にファジィ推論により求められた適合修正量に基づく各パラメータの操作量について説明する。
各パラメータの操作量を求めるに当っては、まず初めに各出力値、即ちＮＯx、スモーク、ＨＣおよび騒音振動についての評価関数の値が求められる。各出力値についての評価関数の値が求められると図２０に示す関係から各出力値についての適合度が求められる。各出力値についての適合度が求められるとこれら適合度を用いて図２２および図２３に示す後件部関数から各パラメータについての適合修正量が求められ、これら適合修正量の和の平均から次式に基づいて各パラメータの操作量が算出される。
【００７０】
パラメータの値＝前回算出されたパラメータの値
＋（ＮＯxについての後件部関数から求められた当該パラメータに関する適合修正量
＋スモークについての後件部関数から求められた当該パラメータに関する適合修正量
＋ＨＣについての後件部関数から求められた当該パラメータに関する適合修正量
＋騒音振動についての後件部関数から求められた当該パラメータに関する適合修正量）
／４
【００７１】
即ち、具体的に言うと例えばコモンレール圧は次のようにして求められる。
コモンレール圧＝前回算出されたコモンレール圧
＋（図２２に示されるＮＯxについての後件部関数から求められたコモンレール圧に関
する適合修正量
＋図２２に示されるスモークについての後件部関数から求められたコモンレール圧に関
する適合修正量
＋図２３に示されるＨＣについての後件部関数から求められたコモンレール圧に関する
適合修正量
＋図２３に示される騒音振動についての後件部関数から求められたコモンレール圧に関
する適合修正量）／４
【００７２】
次に図２４に示す自動適合ルーチンに沿って自動適合方法について説明する。
図２４を参照するとまず初めにステップ２００において適合を行う複数の運転状態、即ち図２におけるマップ上の点の位置が決定される。次いでステップ２０１では適合を行う個々の運転状態に対して夫々複数の機関運転制御用パラメータの初期値が決定され、合わせて各パラメータの探索範囲が設定される。次いでステップ２０２では各出力値の適合目標値が算出される。
【００７３】
次いでステップ２０３では或る一つの適合すべき運転状態においてパラメータ初期値により、機関の運転が行われ、各出力値、即ちＮＯx量、スモーク濃度、ＨＣ量および騒音振動の大きさが検出される。次いでステップ２０４では各出力値について評価関数の値が算出される。各評価関数の値が算出されるとステップ２０５に進んで各出力値が対応する適合目標値を満たしているか否か、即ち各評価関数の値が１．０以下であるか否かが判別される。
【００７４】
一つの運転状態に対してパラメータの適合が完了していないときにはステップ２０６に進んでファジィ推論により各パラメータについて適合修正量が算出され、これら適合修正量の和の平均から各パラメータの値が算出される。各パラメータの値が算出されるとステップ２０３に戻り、算出されたパラメータでもって機関の運転が行われる。
【００７５】
一方、ステップ２０５において一つの運転状態に対してパラメータの適合が完了したと判断されたときにはステップ２０７に進んで全ての運転状態についてパラメータの適合が完了したか否かが判別される。全ての運転状態についてパラメータの適合が完了していないと判断されたときにはステップ２０８に進んで次に適合を行うべき運転状態に移る。これに対しステップ２０７において全ての運転状態におけるパラメータの適合作業が完了したと判断されるとステップ２０９に進んで総量目標値を有する出力値、即ちＮＯx量やＨＣ量について、エミッションを評価するための走行モードで走行したときの出力値の積算値が算出される。次いでステップ２１０では総量目標値を有する出力値が総量目標値を満たしているか否かが判別される。総量目標値を有する出力値が総量目標値を満たしているときには処理サイクルを完了し、自動適合が完了する。これに対して総量目標値を有する出力値が総量目標値を満たしていないときにはステップ２１１に進んで適合目標値が全体的に見直され、再度適合作業が行われる。
【００７６】
次に図２５を参照しつつオンボートで自動適合するようにした自動車について説明する。
図２５は自動車に搭載された機関本体１および電子制御ユニット２０を示しており、この場合には適合を行うために車両制御用パラメータ（このパラメータは機関制御用パラメータも含む）を入力すると自動車の出力値を出力する車両モデルが使用されている。従ってこの場合、パラメータを操作したときの出力値は車両モデルを用いて算出した値が用いられる。その他の点については図２４に示されるルーチンと同じルーチンを用いて適合作業が行われる。なお、この適合作業は工場出荷時又はバッテリ交換に行うこともできるし車両走行中に行うこともできる。
【００７７】
なお、図２５に示されるように排気成分の分析計４２、騒音振動計４３等を用いて車両の実際の出力値が計測されており、これら計測された出力値に基づいて車両モデルの修正が行われる。また、図２５に示されるように電子制御ユニット２０の双方向性バス２１にはＣＤ−ＲＯＭのような交換可能な記録媒体３３を接続することができ、車両モデルをこの記録媒体３３に記憶させることもできる。更に、コンピュータに本発明による自動適合方法を実現させるためのプログラムをこの記録媒体３３に記憶させることもできる。
【００７８】
また、排気エミッション規制値や、排気エミッション規制に対する走行モードの異なる区域に移動するような場合には通信ステーションから発信される情報に基づいてこれらエミッション規制値や走行モードが自動的に切換えられることが好ましい。従って走行モードを通信手段によって外部から受信するように構成することもできる。
【図面の簡単な説明】
【００７９】
【図１】自動適合装置の全体図である。
【図２】マップを示す図である。
【図３】出力値に対し操作すべきパラメータを示す図である。
【図４】パラメータの操作順序と操作方向を示す図である。
【図５】評価関数の値と操作頻度との関係を示す図である。
【図６】パラメータの操作順序と操作方向を示す図である。
【図７】評価関数の値と操作頻度との関係を示す図である。
【図８】パラメータの操作順序と操作方向を示す図である。
【図９】評価関数の値と操作頻度との関係を示す図である。
【図１０】パラメータの操作順序と操作方向を示す図である。
【図１１】評価関数の値と操作頻度との関係を示す図である。
【図１２】パラメータの操作順序と操作方向を示す図である。
【図１３】評価関数の値と操作頻度との関係を示す図である。
【図１４】評価関数の値と操作頻度との関係を示す図である。
【図１５】パラメータの操作方向についてのルールを示す図である。
【図１６】特定のパラメータの最適値を示す図である。
【図１７】非ルール探索を説明するための図である。
【図１８】パラメータの操作方向のルールを探索するためのフローチャートである。
【図１９】パラメータの操作方向についてのルールを示す図である。
【図２０】ファジィ推論の前件部関数を示す図である。
【図２１】ファジィ推論の後件部関数を示す図である。
【図２２】ＮＯxおよびスモークの適合度に対する後件部関数を示す図である。
【図２３】ＨＣおよび騒音振動の適合度に対する後件部関数を示す図である。
【図２４】自動適合を行うためのフローチャートである。
【図２５】内燃機関の全体図である。
【符号の説明】
【００８０】
１    機関本体
２０，４０    電子制御ユニット
【図１】
2006220030.tif 000003
【図２】
2006220030.tif 000004
【図３】
2006220030.tif 000005
【図４】
2006220030.tif 000006
【図５】
2006220030.tif 000007
【図６】
2006220030.tif 000008
【図７】
2006220030.tif 000009
【図８】
2006220030.tif 000010
【図９】
2006220030.tif 000011
【図１０】
2006220030.tif 000012
【図１１】
2006220030.tif 000013
【図１２】
2006220030.tif 000014
【図１３】
2006220030.tif 000015
【図１４】
2006220030.tif 000016
【図１５】
2006220030.tif 000017
【図１６】
2006220030.tif 000018
【図１７】
2006220030.tif 000019
【図１８】
2006220030.tif 000020
【図１９】
2006220030.tif 000021
【図２０】
2006220030.tif 000022
【図２１】
2006220030.tif 000023
【図２２】
2006220030.tif 000024
【図２３】
2006220030.tif 000025
【図２４】
2006220030.tif 000026
【図２５】
2006220030.tif 000027